(57)【要約】【課題】カードの短絡を防止でき、且つ、簡便な構造で高い強度を備えたカードトレイ及びそれを使用したトレイ式カードコネクタの提供。【解決手段】このカードトレイ２は、カード収容部６１が形成された金属製のトレイ本体６と、カード収容部６１の内周面に形成された樹脂接着強化部７と、樹脂接着強化部７を介してトレイ本体６に強固に固着された樹脂製カード受け部８，８とを備え、カード収容部６１に収容されたカード１の周縁が樹脂製カード受け部８，８に支持されるようになっている。【選択図】図２
2018195491.tif 000002
【特許請求の範囲】
【請求項１】
カードが収容されるカード収容部と、該カード収容部の内側に張り出したカード受け部とを備え、前記カード収容部に収容された前記カードの周縁が前記カード受け部に支持されるようにしてなるカードトレイにおいて、
前記カード収容部が形成された金属製のトレイ本体と、該トレイ本体に形成された樹脂接着強化部と、該樹脂接着強化部を介して前記トレイ本体に強固に固着され、前記カード収容部の内側に向けて張り出した樹脂製カード受け部とを備えていることを特徴とするカードトレイ。
【請求項２】
前記樹脂接着強化部は、前記トレイ本体の一部又は全体を覆う接着強化被膜によって形成されている請求項１に記載のカードトレイ。
【請求項３】
前記樹脂接着強化部は、表面処理によって無数の微小な凹凸が形成されている請求項１又は２に記載のカードトレイ。
【請求項４】
前記樹脂接着強化部は、前記樹脂カード受け部の接着面より突出した補強凸部と互いに嵌合する補強凹部又は前記樹脂カード受け部の接着面に形成された補強凹部と互いに嵌合する補強凸部を備えている請求項１〜３の何れか一に記載のカードトレイ。
【請求項５】
前記樹脂カード受け部は、前記樹脂接着強化部を介して前記トレイ本体に固着された側板部と、該側板部より内側に張り出した受け部本体とを備えている請求項１〜４の何れか一に記載のカードトレイ。
【請求項６】
前記トレイ本体は、カード収容部側に開口し、前記樹脂カード受け部の側部が嵌合される嵌合凹部を備え、該嵌合凹部内に前記樹脂接着強化部が形成されている請求項１〜５の何れか一に記載のカードトレイ。
【請求項７】
請求項１〜６の何れか一に記載のカードトレイを使用したトレイ式カードコネクタ。
【発明の詳細な説明】
【技術分野】
【０００１】
本発明は、電子機器にカードを接続するためのカードトレイ及びそれを使用したトレイ式カードコネクタに関する。
【背景技術】
【０００２】
従来、スマートフォン等の携帯電子端末の外部接続媒体には、表面に信号伝達用端子（電極パッド）が配置されているＩＣカードやフラッシュメモリーカード等のカードが使用されている。
【０００３】
この種のカードとスマートフォン等の電子機器とを接続する手段としては、カードをカードトレイに収容し、そのカードトレイをハウジングに挿入するようにしたトレイ式のトレイ式カードコネクタが広く用いられている。
【０００４】
トレイ式カードコネクタは、カードを収容するカードトレイと、カードトレイが挿入されるトレイ挿入部を有するハウジングと、ハウジング内に配設された導電性金属材からなるコンタクトとを備え、カードトレイをトレイ挿入部に挿入することによって、カード表面に配置された電極パッドとコンタクトとが接触し、ハウジングが実装された基板とカードとを電気的に接続するようになっている。
【０００５】
カードトレイには、表裏両面に開口したカード収容部を有する枠状のトレイ本体と、カード収容部の内周面より張り出したカード受け部とを備え、カード受け部にカード収容部内に嵌め込まれたカードの周縁を支持させ、カード収容部を通して電極パッドが下面側に露出するようにし、トレイ挿入部に挿入した際に、カード収容部を通して電極パッドとコンタクトとが接触できるようにしたものが知られている。
【０００６】
従来、この種のカードトレイには、絶縁性合成樹脂材により一体成形されたものが知られているが、樹脂一体成形品は、ハウジングに対する挿抜を繰り返すと摩耗するおそれがあり、小型のものでは強度を確保することが困難な場合があった。
【０００７】
一方、この種のカードトレイには、削り出し加工等によって金属材で一体に成形されたものも知られているが、カードの電極パッドが配置された面をカード受け部で支持する構造であるため、電極パッドがカード受け部に接触し、短絡を生じるおそれがあった。
【０００８】
そのため、従来の金属製のカードトレイでは、カード受け部の表面に絶縁塗装等の短絡防止対策を必要とし、その分、製造費用が嵩むという問題があり、また、カードの出し入れによって絶縁塗装等の短絡防止対策が摩耗するという問題もあった。
【０００９】
そこで、近年では、金属製板材を打抜き・折り曲げ加工することにより一体形成されたフレーム状の金属部と、この金属部と一体化された樹脂部とを備えたカードトレイも開発されている（例えば、特許文献１を参照）。
【００１０】
そして、このカードトレイ１００は、図８に示すように、金属製底板部１０１の側縁を折り曲げて金属製側壁部１０２を形成し、金属製底板部１０１及び金属製側壁部１０２を樹脂１０３で肉付けすることによってカード収容部１０４の下縁にカード受け部１０５が形成された枠状に形成されている。
【先行技術文献】
【特許文献】
【００１１】
【特許文献１】特開２０１６−１７３９８１号公報
【発明の概要】
【発明が解決しようとする課題】
【００１２】
しかしながら、上述の如き従来の技術では、金属部が金属製板材を打抜き・折り曲げ加工したものであるため、側壁の強度は、金属板材の板厚とそれと一体化された樹脂の厚みに依存するため、同じ厚みの金属製のトレイ式カードコネクタに比べ、側壁の強度が低下するという問題があった。
【００１３】
また、金属部のカード受け部を構成する部分は、樹脂との付着強度を確保するための孔や凹部が形成されており、板材の幅が一定でなく、幅の細い部分では強度が不足するおそれがあった。
【００１４】
そこで、本発明は、このような従来の問題に鑑み、カードの短絡を防止でき、且つ、簡便な構造で高い強度を備えたカードトレイ及びそれを使用したトレイ式カードコネクタの提供を目的としてなされたものである。
【課題を解決するための手段】
【００１５】
上述の如き従来の問題を解決するための請求項1に記載の発明の特徴は、カードが収容されるカード収容部と、該カード収容部の内側に張り出したカード受け部とを備え、前記カード収容部に収容された前記カードの周縁が前記カード受け部に支持されるようにしてなるカードトレイにおいて、前記カード収容部が形成された金属製のトレイ本体と、該トレイ本体に形成された樹脂接着強化部と、該樹脂接着強化部を介して前記トレイ本体に強固に固着され、前記カード収容部の内側に向けて張り出した樹脂製カード受け部とを備えているカードトレイにある。
【００１６】
請求項２に記載の発明の特徴は、請求項１の構成に加え、前記樹脂接着強化部は、前記トレイ本体の一部又は全体を覆う接着強化被膜によって形成されていることにある。
【００１７】
請求項３に記載の発明の特徴は、請求項１又は２の構成に加え、前記樹脂接着強化部は、表面処理によって無数の微小な凹凸が形成されていることにある。
【００１８】
請求項４に記載の発明の特徴は、請求項１〜３の何れか一の構成に加え、前記樹脂接着強化部は、前記樹脂カード受け部の接着面より突出した補強凸部と互いに嵌合する補強凹部又は前記樹脂カード受け部の接着面に形成された補強凹部と互いに嵌合する補強凸部を備えていることにある。
【００１９】
請求項５に記載の発明の特徴は、請求項１〜４の何れか一の構成に加え、前記樹脂カード受け部は、前記樹脂接着強化部を介して前記トレイ本体に固着された側板部と、該側板部より内側に張り出した受け部本体とを備えていることにある。
【００２０】
請求項６に記載の発明の特徴は、請求項１〜５の構成に加え、前記トレイ本体は、カード収容部側に開口し、前記樹脂カード受け部の側部が嵌合される嵌合凹部を備え、該嵌合凹部内に前記樹脂接着強化部が形成されていることにある。
【００２１】
請求項７に記載の発明の特徴は、請求項１〜６の何れか一に記載のカードトレイを使用したトレイ式カードコネクタにある。
【発明の効果】
【００２２】
本発明に係るカードトレイは、請求項１に記載の構成を具備することによって、樹脂接着強化部を介して樹脂製カード受け部がトレイ本体に強固に固着されたことによって、金属部分に樹脂付着用の孔や凹部を設ける必要がなく、その分、トレイ本体の強度を高めることができ、小型化が可能となる。また、カード受け部が樹脂で形成されているので、カード表面に配置された電極パッド間の短絡を防止することができる。
【００２３】
また、本発明において、請求項２に記載の構成を具備することによって、接着強化被膜が金属からなるトレイ本体の表面及び樹脂からなる樹脂カード受け部のそれぞれと化学反応し、接着剤等を用いずに両者を強固に固着させることができる。
【００２４】
さらに、本発明において、請求項３に記載の構成を具備することによって、金属からなるトレイ本体と樹脂からなる樹脂カード受け部とを強固に固着させることができる。
【００２５】
さらにまた、本発明において、請求項４に記載の構成を具備することによって、樹脂製カード受け部のせん断強度を高めることができる。
【００２６】
また、本発明において、請求項５又は請求項６に記載の構成を具備することによって、金属部分と樹脂部分との接着面積を広くすることができ、より強固に固着することができる。
【００２７】
本発明に係るトレイ式カードコネクタは、カードトレイの強度を高め、カードトレイの小型化を図ることができ、それに伴いコネクタ全体の小型化が可能となる。
【図面の簡単な説明】
【００２８】
【図１】本発明に係るカードトレイを使用したトレイ式カードコネクタの一例を示す分解平面図である。
【図２】（ａ）は図1中のカードトレイの使用状態を示す平面図、（ｂ）は同底面図である。
【図３】同上のカードトレイのカード未収用時の状態を示す平面図である。
【図４】(ａ)は図３中のＡ-Ａ線断面図、（ｂ）は他の実施例を示す断面図である。
【図５】本発明に係るカードトレイの他の実施例を示す部分拡大断面図である。
【図６】（ａ）（ｂ）は本発明に係るカードトレイのさらに他の実施例を示す部分拡大断面図である。
【図７】本発明に係るカードトレイのさらに他の態様を示す平面図である。
【図８】従来のカードトレイの側壁部の状態を説明するための断面図である。
【発明を実施するための形態】
【００２９】
次に、本発明に係るカードトレイ及びそれを使用したトレイ式カードコネクタの実施態様を図１〜図７に示した実施例に基づいて説明する。尚、図中符号１はカード、符号２はカードトレイ、符号３はトレイ式カードコネクタである。
【００３０】
カード１は、例えば、ＳＩＭ等のＩＣカードであって、片方の面に複数の電極パッド１１，１１…が配置されている。
【００３１】
トレイ式カードコネクタ３は、カード１が収容されるカードトレイ２と、カードトレイ２が挿入されるトレイ挿入部４１を有するハウジング４と、ハウジング４に配設された導電性金属材からなる複数のコンタクト５，５…とを備え、カード１を収容したカードトレイ２をトレイ挿入部４１に挿入することにより、各電極パッド１１，１１…が対応する各コンタクト５，５…と接触し、ハウジング４が実装された基板（図示せず）とカード１とを電気的に接続するようになっている。
【００３２】
カードトレイ２は、図２、図３に示すように、カード１が収容される表裏に開口したカード収容部６１が形成された枠状の金属製のトレイ本体６と、カード収容部６１の内周面に形成された樹脂接着強化部７と、樹脂接着強化部７を介してカード収容部６１の内周面に強固に固着された樹脂製カード受け部８，８とを備え、カード１を片面側（表面側）からカード収容部６１に嵌め込むことにより、カード１受け部にカード１の周縁が支持され、電極パッド１１，１１…がカード収容部６１を通して裏面側に露出した状態で収容されるようになっている。
【００３３】
トレイ本体６は、アルミニウムやステンレス等からなる金属製であって、ダイキャストやＭＩＭ（Ｍｅｔａｌ  Ｉｎｊｅｃｔｉｏｎ  Ｍｏｌｄｉｎｇ）によって一体に形成され、間隔を置いて平行に配置された一対の側枠部６２，６３と、両側枠部６２，６３の端部間を連結する前枠部６４及び後枠部６５とを備え、中央に表裏に開口したカード収容部６１を有する矩形枠状を成している。
【００３４】
側枠部６２，６３、前枠部６４及び後枠部６５は、図４（ａ）（ｂ）に示すように、図６に示す板材からなる金属部分に比べ幅が広く、それぞれ一定の幅を有する断面矩形状に形成され、高い剛性が確保されている。
【００３５】
カード収容部６１は、側枠部６２，６３、前枠部６４及び後枠部６５からなる枠状の内側にカード１形状に整合させた形状に形成され、側枠部６２，６３と後枠部６５とに跨る傾斜部６６を備え、カード１の誤装填が防止されている。
【００３６】
カード収容部６１の内周面、即ち、両側枠部６２，６３の内側面全体、前枠部６４の内側面及び後枠部６５の内側面には、樹脂接着強化部７が形成され、この樹脂接着強化部７を介して樹脂製の樹脂製カード受け部８，８がカード収容部６１の内側に固着されている。
【００３７】
樹脂接着強化部７は、例えば、カード収容部６１の内周面を接着強化被膜７１で被覆することにより形成されている。
【００３８】
そして、インサート成形によって側枠部６２，６３の内側に樹脂製カード受け部８，８を形成する際、接着強化被膜７１が金属及び樹脂のそれぞれと化学反応し、接着剤を用いずに金属製の側枠部６２，６３と樹脂製の樹脂製カード受け部８，８とが強固に固着されるようになっている。
【００３９】
尚、樹脂接着強化部７の態様は、上述の接着強化被膜７１に限定されず、例えば、金属製の側枠部６２，６３の内周面表面を酸化させること等の化学的表面処理、ヤスリ掛け等による物理的表面処理、アルマイト処理やエッチング等の表面処理によって側枠部６２，６３の表面に無数の微小な凹凸が形成されたものであってもよい。
【００４０】
その場合、樹脂接着強化部７は、微小な凹凸によって摩擦係数が高くなり、インサート成形によって側枠部６２，６３の内側に樹脂製カード受け部８，８が形成された際、金属製の側枠部６２，６３と樹脂製の樹脂製カード受け部８，８とが強固に固着されるとともに、トレイ本体６と樹脂製カード受け部８，８との間のせん断強度が高くなる。
【００４１】
さらに、樹脂接着強化部７は、微小凹凸を形成する表面処理と接着強化被膜７１とを併用してもよい。
【００４２】
また、樹脂接着強化部７は、図４に示すように、側枠部６２，６３の内側面に凹状の補強凹部７２を形成しておき、樹脂製カード受け部８，８の接着面より突出した補強凸部７３と互いに嵌合するようにし、上記接着強化被膜７１又は微小凹凸を形成する表面処理による固着強度に加え、補強凹部７２と補強凸部７３の嵌合によるトレイ厚み方向のせん断強度を強化してもよい。尚、補強凹部７２及び補強凸部７３は、側枠部６２，６３側に補強凸部７３を突設し、樹脂製カード受け部８，８側に補強凹部７２を形成してもよい。
【００４３】
この補強凹部７２及び補強凸部７３は、側枠部６２，６３の内側面部に予め補強凹部７２又は補強凸部７３を形成するとともに接着強化被膜７１を形成し、補強凹部７２の内面又は補強凸部７３の外面を接着強化被膜７１で覆った状態とし、その状態でインサート成形によって側枠部６２，６３の内側に樹脂製カード受け部８，８を形成することによって互いに嵌合される。
【００４４】
樹脂製カード受け部８，８は、図４（ａ）に示すように、一定の厚みを有する帯状に形成され、側枠部６２，６３及び前後枠部６５の内側下縁に固定され、収容されたカード１の側縁を支持するようになっている。
【００４５】
尚、樹脂製カード受け部８，８は、図４（ｂ）に示すように、カード収容部６１の内側面を構成する側板部８１と、側板部８１の下縁より内側に張り出した受け部本体８２とを備え、断面Ｌ字状に一体成形されたものであってもよい。
【００４６】
この場合、側板部８１全体が樹脂接着強化部７を介してカード収容部６１の内側面に固着されるので、金属と樹脂との接着面積を広くとることができ、より強固に金属と樹脂とを固着させるこができる。
【００４７】
このように構成されたカードトレイ２及びそれを使用したトレイ式カードコネクタ３は、トレイ本体６が一定の幅及び高さを有する金属製の各枠部６２〜６４によって枠状に形成されているので、小型化によっても高い強度を確保することができる。
【００４８】
また、樹脂製の樹脂製カード受け部８，８は、樹脂接着強化部７を介して強固に固着されていることに加え、高い剛性を備えた枠状のカード１本体に支持されているので、枠の歪みによる変形が防止される。
【００４９】
また、このカードトレイ２は、金属製のトレイ本体６と樹脂製の樹脂製カード受け部８，８とが強固に固着されているので、金属製のカード１本体に対する樹脂の付着強度を孔や凹部に依存する必要が無く、その分、金属部分の幅を十分に確保し、断面欠損等も低減できるので、トレイ全体の高い強度を得ることができる。
【００５０】
尚、上述の実施例では、カード１としてＳＩＭカード等のＩＣカードを例に説明したが、カード１の態様はこれに限定されず、例えば、マイクロＳＤカード等のメモリーカードであってもよい。
【００５１】
また、カードトレイ２の形状は、上述の実施例に限定されず、例えば、図５に示すように、側枠部６２の下面６２ａに樹脂接着強化部７を介して樹脂製カード受け部８の上面８ａを固着させてもよい。
【００５２】
さらに、カードトレイ２は、図６に示すように、トレイ本体６にカード収容部６１側に開口し、樹脂カード受け部８の側部８ｂが嵌合される嵌合凹部９を備え、この嵌合凹部９内に樹脂接着強化部７が形成されているものであってもよい。尚、嵌合凹部９は、樹脂カード受け部８の厚みと同じ上下幅である凹溝状に形成され、図６(ａ)（ｂ）に示すように、任意の位置とすることができる。
【００５３】
さらにまた、カードトレイ２は、図７に示すように、２枚のカード１を収容できるものであってもよい。尚、上述の実施例と同様の構成には、同一符号を付して説明を省略する。
【符号の説明】
【００５４】
１  カード
１１  電極パッド
２  カードトレイ
３  トレイ式カードコネクタ
４  ハウジング
４１  トレイ挿入部
５  コンタクト
６  トレイ本体
６１  カード収容部
６２，６３  側枠部
６４  前枠部
６５  後枠部
６６  傾斜部
７  樹脂接着強化部
７１  接着強化被膜
７２  補強凹部
７３  補強凸部
８  樹脂製カード受け部
８１  側板部
８２  受け部本体
【図１】
2018195491.tif 000003
【図２】
2018195491.tif 000004
【図３】
2018195491.tif 000005
【図４】
2018195491.tif 000006
【図５】
2018195491.tif 000007
【図６】
2018195491.tif 000008
【図７】
2018195491.tif 000009
【図８】
2018195491.tif 000010